(57)【特許請求の範囲】
【請求項１】
ホール内に設置され、遊技機を複数台配置した遊技島と、
前記ホール内に設置され、前記遊技機に使用する遊技媒体を計数し、当該計数値を記録した計数用記録媒体を出力するための遊技媒体計数機と、
前記遊技媒体計数機によって計数された計数値にもとづいて、遊技者が希望する景品の交換レートを用いて、当該景品の個数を算出するための景品管理装置と、
前記景品のうち、予め設定された特殊景品を複数個収納し、前記景品管理装置により算出された個数の入力を条件に、当該個数に等しい個数の特殊景品を払い出すための特殊景品払出機とを備える景品管理システムにおいて、
前記遊技媒体計数機は、
前記景品管理装置に接続されるとともに、
前記特殊景品と、当該特殊景品以外の一般景品とを遊技者が選択可能な選択スイッチと、
前記選択スイッチにより前記特殊景品が選択された場合に、前記計数値を特殊景品情報として前記景品管理装置に送信するための特殊景品情報送信手段とを備え、
前記景品管理装置は、
前記遊技媒体計数機から隔たったカウンターテーブル内で前記特殊景品払出機に接続されるとともに、
前記特殊景品情報送信手段から送信された前記特殊景品情報にもとづいて、前記特殊景品の交換レートを用いて、当該特殊景品の個数を算出するための特殊景品用計数手段と、
前記特殊景品用計数手段により算出された個数の特殊景品を、前記特殊景品払出機から払い出させるための遠隔操作信号を前記特殊景品払出機に送信するための遠隔操作手段とを備え、
前記特殊景品払出機は、
前記遠隔操作手段から送信された前記遠隔操作信号により指定された個数の前記特殊景品の払い出しを実行するための特殊景品払出実行手段と、
前記特殊景品払出実行手段により前記特殊景品の払い出しを実行する場合に、当該特殊景品の払い出し個数を記録した払出用記録媒体を、払出用記録媒体出力部を介して出力するための払出用記録制御手段とを備え、
前記払出用記録制御手段は、前記計数用記録媒体との対応関係を意味する照合情報を、当該計数用記録媒体に対応する払出用記録媒体に記録するものであり、
前記景品管理装置は、遊技媒体計数機が出力した計数用記録媒体の情報と、前記払出用記録媒体出力部が出力した払出用記憶媒体の照合情報とを読み取って照合できるように構成されている
ことを特徴とする景品管理システム。
【請求項２】
請求項１に記載の景品管理システムであって、
前記遊技媒体計数機は、
前記ホール内に複数台設置され、
前記遠隔操作手段には、
２台以上の前記遊技媒体計数機から前記特殊景品情報が同時に送信されてきた場合に、当該各遊技媒体計数機と前記景品管理装置との間の距離をもとに、優先的に処理する前記特殊景品情報を決定するための処理順番決定手段を備えていることを特徴とする景品管理システム。
【請求項３】
請求項１に記載の景品管理システムであって、
前記遊技媒体計数機は、
前記ホール内に複数台設置され、
前記遠隔操作手段には、
２台以上の前記遊技媒体計数機から前記特殊景品情報が同時に送信されてきた場合に、当該各特殊景品情報に含まれる計数値を比較して、優先的に処理する前記特殊景品情報を決定するための処理順番決定手段を備えていることを特徴とする景品管理システム。
【発明の詳細な説明】
【技術分野】
【０００１】
この発明は、パチンコ機やスロットマシン等を配置した遊技場に設置される景品管理システムに関し、特殊景品を迅速且つ正確に払い出すことができるようにしたものである。
【背景技術】
【０００２】
従来、遊技媒体計数機、ＰＯＳ端末等の景品管理装置、特殊景品払出機を備える景品管理システムが知られている（例えば特許文献１の段落番号「００２７」、図１及び図２参照）。
【０００３】
従来の特殊景品払出機は、景品管理装置からのバーコード読み取りデータに応じて、景品の払い出し処理を実行していた（例えば特許文献１の段落番号「００５３」参照）。
【特許文献１】特開平０５−１１１５７７号公報（段落番号「００２７」及び「００５３」、図１及び図２）
【発明の開示】
【発明が解決しようとする課題】
【０００４】
しかし、上記した従来の景品管理システムでは、遊技媒体計数機による計数後、発券されたレシートを景品管理装置まで持参し、レシートに印刷されたバーコードを景品管理装置で読み取り、遊技者が希望する景品を指定することで、特殊景品払出機からの景品の払い出しを行っていたので、遊技媒体の計数から景品の払い出しまでの時間が掛かるという第１の問題点があった。
【０００５】
さらに、ホールの閉店時間の間際では、景品交換を行う遊技者が多数になるため、景品交換に非常に時間が掛かっているという第２の問題点があった。
【０００６】
そこで、各請求項にそれぞれ記載された各発明は、上記した従来の技術の有する第１、第２の問題点に鑑みてなされたものであり、その目的とするところは、遊技媒体の計数時に、遊技者に景品の種類を選択させ、当該選択に応じて景品の払い出しまでの時間を短縮化することができるようにしたものである。
【０００７】
すなわち、請求項１に記載の発明によれば、遊技者が選択した景品が、特殊景品の場合には、当該計数データにもとづいて特殊景品払出機により処理を先行して行わせることで、特殊景品を迅速且つ正確に払い出すことができるようにしたものである。
【課題を解決するための手段】
【０００８】
請求項１に記載の発明は、ホール内に設置され、遊技機を複数台配置した遊技島と、前記ホール内に設置され、前記遊技機に使用する遊技媒体を計数し、当該計数値を記録した計数用記録媒体を出力するための遊技媒体計数機と、前記遊技媒体計数機によって計数された計数値にもとづいて、遊技者が希望する景品の交換レートを用いて、当該景品の個数を算出するための景品管理装置と、前記景品のうち、予め設定された特殊景品を複数個収納し、前記景品管理装置により算出された個数の入力を条件に、当該個数に等しい個数の特殊景品を払い出すための特殊景品払出機とを備える景品管理システムにおいて、前記遊技媒体計数機は、前記景品管理装置に接続されるとともに、前記特殊景品と、当該特殊景品以外の一般景品とを遊技者が選択可能な選択スイッチと、前記選択スイッチにより前記特殊景品が選択された場合に、前記計数値を特殊景品情報として前記景品管理装置に送信するための特殊景品情報送信手段とを備え、前記景品管理装置は、前記遊技媒体計数機から隔たったカウンターテーブル内で前記特殊景品払出機に接続されるとともに、前記特殊景品情報送信手段から送信された前記特殊景品情報にもとづいて、前記特殊景品の交換レートを用いて、当該特殊景品の個数を算出するための特殊景品用計数手段と、前記特殊景品用計数手段により算出された個数の特殊景品を、前記特殊景品払出機から払い出させるための遠隔操作信号を前記特殊景品払出機に送信するための遠隔操作手段とを備え、前記特殊景品払出機は、前記遠隔操作手段から送信された前記遠隔操作信号により指定された個数の前記特殊景品の払い出しを実行するための特殊景品払出実行手段と、前記特殊景品払出実行手段により前記特殊景品の払い出しを実行する場合に、当該特殊景品の払い出し個数を記録した払出用記録媒体を、払出用記録媒体出力部を介して出力するための払出用記録制御手段とを備え、前記払出用記録制御手段は、前記計数用記録媒体との対応関係を意味する照合情報を、当該計数用記録媒体に対応する払出用記録媒体に記録するものであり、前記景品管理装置は、遊技媒体計数機が出力した計数用記録媒体の情報と、前記払出用記録媒体出力部が出力した払出用記憶媒体の照合情報とを読み取って照合できるように構成されていることを特徴とする景品管理システムである。
【０００９】
請求項２に係る発明は、請求項１に記載の景品管理システムであって、前記遊技媒体計数機は、前記ホール内に複数台設置され、前記遠隔操作手段には、２台以上の前記遊技媒体計数機から前記特殊景品情報が同時に送信されてきた場合に、当該各遊技媒体計数機と前記景品管理装置との間の距離をもとに、優先的に処理する前記特殊景品情報を決定するための処理順番決定手段を備えている。
【００１０】
請求項３に係る発明は、請求項１に記載の景品管理システムであって、前記遊技媒体計数機は、前記ホール内に複数台設置され、前記遠隔操作手段には、２台以上の前記遊技媒体計数機から前記特殊景品情報が同時に送信されてきた場合に、当該各特殊景品情報に含まれる計数値を比較して、優先的に処理する前記特殊景品情報を決定するための処理順番決定手段を備えている。
【発明の効果】
【００１１】
本発明は、以上のように構成されているので、以下に記載されるような効果を奏する。
（請求項１）
請求項１に記載の発明によれば、次のような効果を奏する。
【００１２】
すなわち、請求項１に記載の発明によれば、遊技媒体の計数時に、遊技者に景品の種類を選択させ、当該選択に応じて景品の払い出しまでの時間を短縮化することができる。
【００１３】
また、請求項１に記載の発明によれば、遊技媒体計数機から出力される計数用記録媒体との対応関係を意味する照合情報を、特殊景品払出機から出力される払出用記録媒体に記録することができる。
【００１４】
すなわち、請求項１に記載の発明によれば、遊技者が選択した景品が、特殊景品の場合には、当該計数データにもとづいて特殊景品払出機により処理を先行して行わせることで、特殊景品を迅速且つ正確に払い出すことができる。
（請求項２）
請求項２に記載の発明によれば、上記した請求項１に記載の発明の効果に加え、次のような効果を奏する。
【００１５】
すなわち、請求項２に記載の発明によれば、２台以上の遊技媒体計数機から特殊景品情報が同時に送信されてきた場合に、当該各遊技媒体計数機と景品管理装置との間の距離をもとに、優先的に処理する順番を決定することができる。
（請求項３）
請求項３に記載の発明によれば、上記した請求項１に記載の発明の効果に加え、次のような効果を奏する。
【００１６】
すなわち、請求項３に記載の発明によれば、２台以上の遊技媒体計数機から特殊景品情報が同時に送信されてきた場合に、当該各特殊景品情報に含まれる計数値を比較して、優先的に処理する順番を決定することができる。
【発明を実施するための最良の形態】
【００１７】
（図面の説明）
図１〜４は、本発明の実施の形態の一例をそれぞれ示すものである。
【００１８】
図１は、景品管理システムの概略構成図、図２は計数機の概略正面図、図３は景品管理システムの動作を説明するための概略フローチャート、図４は景品管理システムの動作を説明するための概略ブロック図をそれぞれ示すものである。
（景品管理システム）
図１中、１０は、景品管理システムを示すものであり、この景品管理システム１０は、例えばパチンコ機等の弾球遊技機や、スロットマシン等の遊技機２０を複数台配置したホール（図示せず）内に設置される。
【００１９】
景品管理システム１０は、図１に示すように、次の機器を備える。
【００２０】
なお、次の（１）〜（５）については、後述する。
（１）遊技島３０
（２）遊技媒体計数機４０
（３）カウンターテーブル５０
（４）景品管理装置６０
（５）特殊景品払出機７０
なお、景品管理システム１０の機器は、上記した（１）〜（５）に限定されず、これらの機器を総合的に管理するホールコンピュータを備えていても良い。
（遊技島３０）
遊技島３０は、図１に示すように、ホール内に設置され、遊技機２０を複数台配置したものである。
【００２１】
遊技島３０は、ホール内に複数個、例えば遊技島１〜ｎ設置されている。
（遊技媒体計数機４０）
遊技媒体計数機４０は、ホール内に設置され、遊技機２０に使用する遊技媒体を計数し、当該計数値を記録した計数用記録媒体（図示せず）を出力するためのものである。
【００２２】
なお、遊技媒体は、図示しないが、例えば弾球遊技機の遊技球や、スロットマシンのメダル等である。
【００２３】
具体的には、遊技媒体計数機４０は、遊技島３０の片側の端部にそれぞれ設置され、ホール内に複数台、例えば計数機１〜ｎ設置されている。
【００２４】
各遊技媒体計数機４０には、図２及び図４に示すように、次のパーツを備える。
【００２５】
なお、次の（１）〜（４）については、後述する。
（１）計数部４１
（２）計数用記録媒体出力部４２
（３）フロントパネル４３
（４）計数制御装置１００
なお、各遊技媒体計数機４０のパーツは、上記した（１）〜（４）に限定されない。
（計数部４１）
計数部４１は、遊技者が入れた遊技媒体を計数するためのものである。
（計数用記録媒体出力部４２）
計数用記録媒体出力部４２は、計数部４１により計数された計数値を、計数用記録媒体（図示せず）に記録して出力するためのものである。
【００２６】
計数用記録媒体としては、図示しないが、例えばレシート等の紙媒体を使用している。
【００２７】
計数用記録媒体出力部４２は、例えばプリンターから構成され、レシート等の紙媒体に、計数値、並びに当該計数値をバーコード化したバーコード・データを印刷する。
【００２８】
なお、計数用記録媒体として、レシート等の紙媒体を例示したが、これに限定されず、磁気カード、ＩＣカード等から構成しても良い。また、レシート等の紙媒体に印刷される情報として、計数値やバーコード・データを例示したが、これに限定されず、後述するが、遊技者が選択した景品の種別、計数時の年月日・時間、遊技媒体計数機４０の識別番号、ホールの名称や識別番号等を記録しても良い。
（フロントパネル４３）
フロントパネル４３は、遊技媒体計数機４０の前面に位置する。
【００２９】
フロントパネル４３には、図２に示すように、次のパーツを備える。
【００３０】
なお、フロントパネル４３のパーツは、次の（１）〜（４）に限定されない。
（１）表示部４４
表示部４４は、計数部４１により計数した遊技媒体の個数を数値で表示するためのものであり、例えば液晶ディスプレイや、７セグメント等から構成している。
（２）特殊景品選択スイッチ４５
特殊景品選択スイッチ４５は、図２に示すように、表示部４４の下側に配置され、箱詰めされた換金用賞品等の予め設定された特殊景品（図示せず）を遊技者が選択可能な、例えば押しボタン式のスイッチである。
（３）一般景品選択スイッチ４６
一般景品選択スイッチ４６は、図２に示すように、特殊景品選択スイッチ４５の右隣に配置され、特殊景品以外の、一般に販売されているガムやタバコ等の一般景品（図示せず）を遊技者が選択可能な、例えば押しボタン式のスイッチである。
（４）貯玉選択スイッチ４７
貯玉選択スイッチ４７は、図２に示すように、一般景品選択スイッチ４６の右隣に配置され、獲得した遊技媒体をカード等の記録媒体に一時的に貯めることを、遊技者が選択可能な、例えば押しボタン式のスイッチである。
（計数制御装置１００）
計数制御装置１００は、遊技媒体計数機４０を制御するためのものである。
【００３１】
具体的には、計数制御装置１００は、コンピュータであって、図示しないが、例えばＣＰＵを中心に構成され、ＲＯＭやＲＡＭ等の記録媒体、Ｉ／Ｏ等を備えている。
【００３２】
また、記録媒体は、ＲＯＭやＲＡＭに限定されず、そのほか電気的・磁気的・光学的なメモリーやディスク等でも良い。
【００３３】
計数制御装置１００のＣＰＵ（図示せず）は、記録媒体、例えばＲＯＭに記録されたプログラムを読み込むことで、図１に示すように、次の手段として機能する。
【００３４】
なお、次の（１）〜（４）の手段の説明については、後述する。
（１）遊技媒体計数手段１１０
（２）計数用記録制御手段１２０
（３）表示制御手段１３０
（４）信号送受信手段１４０
なお、計数制御装置１００の手段は、上記した（１）〜（４）に限定されない。
（計数制御装置１００の入力段）
つぎに、図４を用いて、計数制御装置１００の入力段について説明する。
【００３５】
計数制御装置１００の入力段には、次のパーツがそれぞれ接続されている。
（１）特殊景品選択スイッチ４５
（２）一般景品選択スイッチ４６
（３）貯玉選択スイッチ４７
（４）計数部４１
なお、計数制御装置１００の入力段に接続されるパーツは、上記した（１）〜（４）に限定されない。
（計数制御装置１００の出力段）
つぎに、図４を用いて、計数制御装置１００の出力段について説明する。
【００３６】
計数制御装置１００の出力段には、次のパーツがそれぞれ接続されている。
（１）表示部４４
（２）計数用記録媒体出力部４２
（３）景品管理装置６０
なお、計数制御装置１００の出力段に接続されるパーツは、上記した（１）〜（３）に限定されない。
（遊技媒体計数手段１１０）
遊技媒体計数手段１１０は、計数部４１を制御するためのものである。
（計数用記録制御手段１２０）
計数用記録制御手段１２０は、計数用記録媒体出力部４２を制御するためのものである。
（表示制御手段１３０）
表示制御手段１３０は、表示部４４を制御するためのものである。
（信号送受信手段１４０）
信号送受信手段１４０は、後述する景品管理装置６０との間の情報の送受信を制御するためのものである。
【００３７】
具体的には、信号送受信手段１４０には、図４に示すように、次の手段を備えている。
【００３８】
なお、信号送受信手段１４０の手段は、次の（１）に限定されない。
（１）特殊景品情報送信手段１４１
特殊景品情報送信手段１４１は、選択スイッチ（例えば特殊景品選択スイッチ４５、一般景品選択スイッチ４６）により特殊景品が選択された場合に、計数値を特殊景品情報として景品管理装置６０に送信するためのものである。
【００３９】
なお、選択スイッチとして、特殊景品選択スイッチ４５、一般景品選択スイッチ４６を例示したが、これに限定されない。
（カウンターテーブル５０）
カウンターテーブル５０は、ホール内に設置され、カウンターテーブル５０の内側には、後述する景品管理装置６０、特殊景品払出機７０等が配置されている。
（景品管理装置６０）
景品管理装置６０は、遊技媒体計数機４０によって計数された計数値にもとづいて、遊技者が希望する景品（図示せず）の交換レートを用いて、当該景品の個数を算出するためのものである。
【００４０】
具体的には、景品管理装置６０は、複数台、例えば後述する特殊景品払出機７０の両側に計２台配置されている。
【００４１】
各景品管理装置６０には、図４に示すように、次のパーツを備える。
【００４２】
なお、次の（１）〜（４）については、後述する。
（１）バーコードリーダー６１
（２）操作部６２
（３）表示部６３
（４）景品管理制御装置２００
なお、各景品管理装置６０のパーツは、上記した（１）〜（４）に限定されない。
（バーコードリーダー６１）
バーコードリーダー６１は、図示しないが、計数用記録媒体の一例である、レシート等の紙媒体に印刷されたバーコード・データを読み取るためのものである。バーコード・データには、遊技媒体の計数値が記録されている。
【００４３】
なお、計数用記録媒体の一例として、レシート等の紙媒体に印刷されたバーコード・データを、バーコードリーダー６１で読み取ったが、これに限定されず、磁気カードやＩＣカード等から計数用記録媒体を構成し、当該磁気カードやＩＣカードに記録された情報を磁気的、光学的なリーダーで読み取るようにしても良い。
（操作部６２）
操作部６２は、景品管理装置６０の各種の操作を行うためのものであり、例えばタッチ・パネル、テンキーボード等から構成している。
（表示部６３）
表示部６３は、図示しないが、景品管理装置６０の各種の情報を表示するためのものであり、例えば液晶ディスプレイや、７セグメント等から構成している。
（景品管理制御装置２００）
景品管理制御装置２００は、各景品管理装置６０を制御するためのものであり、各景品管理装置６０に個別に設けても良いし、或いは２台の景品管理装置６０に対して１台設けても良い。
【００４４】
具体的には、景品管理制御装置２００は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００４５】
景品管理制御装置２００のＣＰＵ（図示せず）は、記録媒体、例えばＲＯＭに記録されたプログラムを読み込むことで、図１に示すように、次の手段として機能する。
【００４６】
なお、次の（１）〜（４）の手段の説明については、後述する。
（１）景品計数手段２１０
（２）遠隔操作手段２２０
（３）表示制御手段２３０
（４）信号送受信手段２４０
なお、景品管理制御装置２００の手段は、上記した（１）〜（４）に限定されない。
（景品管理制御装置２００の入力段）
つぎに、図４を用いて、景品管理制御装置２００の入力段について説明する。
【００４７】
景品管理制御装置２００の入力段には、次のパーツがそれぞれ接続されている。
（１）バーコードリーダー６１
（２）操作部６２
（３）計数制御装置１００
なお、景品管理制御装置２００の入力段に接続されるパーツは、上記した（１）〜（３）に限定されない。
（景品管理制御装置２００の出力段）
つぎに、図４を用いて、景品管理制御装置２００の出力段について説明する。
【００４８】
景品管理制御装置２００の出力段には、次のパーツがそれぞれ接続されている。
（１）表示部６３
（２）特殊景品払出機７０
なお、景品管理制御装置２００の出力段に接続されるパーツは、上記した（１）〜（２）に限定されない。
（景品計数手段２１０）
景品計数手段２１０は、バーコードリーダー６１を介して読み取った計数値、或いは特殊景品情報送信手段１４１から送信された特殊景品情報にもとづいて、遊技者が選択した景品毎の交換レートを用いて、当該景品の個数を算出するためのものである。
【００４９】
遊技者が、特殊景品選択スイッチ４５を操作した場合には、特殊景品の交換レートを用いて、当該特殊景品の個数が算出される。
【００５０】
また、遊技者が、一般景品選択スイッチ４６をした場合には、遊技者が希望する一般景品の商品名を聞き、その交換ルートを操作部６２等を用いて入力すると、当該一般景品の個数が算出される。
【００５１】
具体的には、景品計数手段２１０には、図４に示すように、次の手段を備える。
なお、景品計数手段２１０の手段は、次の（１）に限定されない。
（１）特殊景品用計数手段２１１
特殊景品用計数手段２１１は、特殊景品情報送信手段１４１から送信された特殊景品情報にもとづいて、特殊景品の交換レートを用いて、当該特殊景品の個数を算出するためのものである。
（遠隔操作手段２２０）
遠隔操作手段２２０は、特殊景品用計数手段２１１により算出された個数の特殊景品を、特殊景品払出機７０から払い出させるための遠隔操作信号を特殊景品払出機７０に送信するためのものである。
【００５２】
遠隔操作手段２２０には、図４に示すように、次の手段を備える。
【００５３】
なお、遠隔操作手段２２０の手段は、次の（１）に限定されない。
（１）処理順番決定手段２２１
処理順番決定手段２２１は、２台以上の遊技媒体計数機４０から特殊景品情報が同時に送信されてきた場合に、当該各遊技媒体計数機４０と景品管理装置６０との間の距離をもとに、優先的に処理する特殊景品情報を決定するためのものである。
【００５４】
また、処理順番決定手段２２１により、２台以上の遊技媒体計数機４０から特殊景品情報が同時に送信されてきた場合に、当該各特殊景品情報に含まれる計数値を比較して、優先的に処理する特殊景品情報を決定するようにしても良い。
（表示制御手段２３０）
表示制御手段２３０は、表示部６３を制御するためのものである。
（信号送受信手段２４０）
信号送受信手段２４０は、遊技媒体計数機４０の計数制御装置１００、及び後述する特殊景品払出機７０との間の情報の送受信を制御するためのものである。
（特殊景品払出機７０）
特殊景品払出機７０は、景品のうち、予め設定された特殊景品（図示せず）を複数個収納し、景品管理装置６０により算出された個数の入力を条件に、当該個数に等しい個数の特殊景品を払い出すためのものである。
【００５５】
特殊景品払出機７０には、図４に示すように、次のパーツを備える。
【００５６】
なお、次の（１）〜（５）については、後述する。
（１）操作部７１
（２）特殊景品払出部７２
（３）払出用記録媒体出力部７３
（４）表示部７４
（５）特殊景品払出制御装置３００
なお、特殊景品払出機７０のパーツは、上記した（１）〜（５）に限定されない。
（操作部７１）
操作部７１は、特殊景品払出機７０の各種の操作を行うためのものであり、例えばタッチ・パネル、テンキーボード等から構成している。
（特殊景品払出部７２）
特殊景品払出部７２は、遠隔操作信号により指定された個数の特殊景品の払い出すためのものである。
（払出用記録媒体出力部７３）
払出用記録媒体出力部７３は、特殊景品の払出個数を、払出用記録媒体（図示せず）に記録して出力するためのものである。
【００５７】
払出用記録媒体としては、図示しないが、例えばレシート等の紙媒体を使用している。
【００５８】
払出用記録媒体出力部７３は、例えばプリンターから構成され、レシート等の紙媒体に、払出個数、並びに当該払出個数をバーコード化したバーコード・データを印刷している。
【００５９】
なお、払出用記録媒体として、レシート等の紙媒体を例示したが、これに限定されず、磁気カード、ＩＣカード等から構成しても良い。また、レシート等の紙媒体に印刷される情報として、払出個数やバーコード・データを例示したが、これに限定されず、払出時の年月日・時間、ホールの名称や識別番号等を記録しても良い。
（表示部７４）
表示部７４は、図示しないが、特殊景品払出機７０の各種の情報を表示するためのものであり、例えば液晶ディスプレイや、７セグメント等から構成している。
（特殊景品払出制御装置３００）
特殊景品払出制御装置３００は、特殊景品払出機７０を制御するためのものである。
【００６０】
具体的には、特殊景品払出制御装置３００は、コンピュータであって、図示しないが、例えばＣＰＵを中心に構成され、ＲＯＭやＲＡＭ等の記録媒体、Ｉ／Ｏ等を備えている。
【００６１】
また、記録媒体は、ＲＯＭやＲＡＭに限定されず、そのほか電気的・磁気的・光学的なメモリーやディスク等でも良い。
【００６２】
特殊景品払出制御装置３００のＣＰＵ（図示せず）は、記録媒体、例えばＲＯＭに記録されたプログラムを読み込むことで、図１に示すように、次の手段として機能する。
【００６３】
なお、次の（１）〜（４）の手段の説明については、後述する。
（１）信号送受信手段３１０
（２）特殊景品払出実行手段３２０
（３）払出用記録制御手段３３０
（４）表示制御手段３４０
なお、特殊景品払出制御装置３００の手段は、上記した（１）〜（４）に限定されない。
（特殊景品払出制御装置３００の入力段）
つぎに、図４を用いて、特殊景品払出制御装置３００の入力段について説明する。
【００６４】
特殊景品払出制御装置３００の入力段には、次のパーツがそれぞれ接続されている。
（１）操作部７１
（２）景品管理制御装置２００
なお、特殊景品払出制御装置３００の入力段に接続されるパーツは、上記した（１）〜（２）に限定されない。
（特殊景品払出制御装置３００の出力段）
つぎに、図４を用いて、特殊景品払出制御装置３００の出力段について説明する。
【００６５】
特殊景品払出制御装置３００の出力段には、次のパーツがそれぞれ接続されている。
（１）特殊景品払出部７２
（２）払出用記録媒体出力部７３
（３）表示部７４
（４）景品管理制御装置２００
なお、特殊景品払出制御装置３００の出力段に接続されるパーツは、次の（１）〜（４）に限定されない。
（信号送受信手段３１０）
信号送受信手段３１０は、景品管理装置６０の景品管理制御装置２００との間の情報の送受信を制御するためのものである。
（特殊景品払出実行手段３２０）
特殊景品払出実行手段３２０は、遠隔操作手段２２０から送信された遠隔操作信号により指定された個数の特殊景品の払い出しを実行するためのものである。
【００６６】
具体的には、特殊景品払出実行手段３２０は、特殊景品払出部７２を駆動することで、特殊景品の払い出しを実行している。
（払出用記録制御手段３３０）
払出用記録制御手段３３０は、特殊景品払出実行手段３２０により特殊景品の払い出しを実行する場合に、当該特殊景品の払い出し個数を記録した払出用記録媒体（図示せず）を、払出用記録媒体出力部７３を介して出力するためのものである。
【００６７】
払出用記録制御手段３３０は、計数用記録媒体との対応関係を意味する照合情報を、当該計数用記録媒体に対応する払出用記録媒体に記録するようにしている。
（表示制御手段３４０）
表示制御手段３４０は、表示部７４を制御するためのものである。
（図３のフローチャートの説明）
つぎに、図３を用いて、上記した構成を有する景品管理システム１０の動作について説明する。
【００６８】
まず、遊技者は、図１に示すように、遊技島３０に設置された遊技機２０を使用して遊技を行う。遊技者が、獲得した遊技媒体を景品と交換したい場合には、当該遊技機２０の有る遊技島３０の片側の端部に設置された遊技媒体計数機４０の位置まで、遊技媒体を持参する。
【００６９】
つぎに、図３に示すように、ステップＳ１０に進み、遊技媒体計数機４０を使用した遊技者による遊技媒体の計数が実行される。
【００７０】
すなわち、遊技者は、図４に示すように、遊技媒体計数機４０の計数部４１に、遊技媒体を入れることで、計数制御装置１００の遊技媒体計数手段１１０により計数が実行され、当該計数値が表示部４４に表示される。
【００７１】
上記ステップＳ１０の終了後、図３に示すように、次のステップＳ１１に進み、遊技媒体計数機４０での遊技者による景品の選択が実行される。
【００７２】
すなわち、遊技者は、図２に示すように、遊技媒体計数機４０のフロントパネル４３の特殊景品選択スイッチ４５、一般景品選択スイッチ４６、貯玉選択スイッチ４７のいずれか１個を操作することで、景品の種類を選択する。
【００７３】
このとき、特殊景品選択スイッチ４５が選択されると、図４に示すように、計数制御装置１００の特殊景品情報送信手段１４１は、計数値を特殊景品情報として景品管理装置６０に送信する。
【００７４】
このため、後述するステップＳ２０以降は並列的に処理される。
【００７５】
一方、上記ステップＳ１１の終了後、図３に示すように、次のステップＳ１２に進み、遊技媒体計数機４０からの計数用記録媒体（図示せず）の出力が実行される。
【００７６】
すなわち、遊技媒体計数機４０の計数用記録制御手段１２０は、計数用記録媒体出力部４２を用いて、計数値を計数用記録媒体に記録後、当該計数用記録媒体を出力する。
【００７７】
上記ステップＳ１２の終了後、図３に示すように、次のステップＳ１３に進み、図１に示すように、遊技者が計数用記録媒体をカウンターテーブル５０に持参する。
【００７８】
上記ステップＳ１３の終了後、図３に示すように、次のステップＳ１４に進み、景品管理装置６０への店員による計数用記録媒体のバーコード入力が実行される。
【００７９】
すなわち、店員は、遊技者が持参した計数用記録媒体を受け取り、図３に示すように、当該計数用記録媒体を景品管理装置６０のバーコードリーダー６１に読み込ませる。
【００８０】
景品管理装置６０の景品計数手段２１０は、図４に示すように、バーコードリーダー６１を介して読み取った計数値、或いは特殊景品情報送信手段１４１から送信された特殊景品情報にもとづいて、遊技者が選択した景品毎の交換レートを用いて、当該景品の個数を算出する。
【００８１】
景品の個数の算出値は、表示制御手段２３０により、表示部６３に表示される。
【００８２】
上記ステップＳ１４の終了後、図３に示すように、次のステップＳ１５に進み、後述するが、遊技者への景品の引き渡しが実行される。
【００８３】
一方、前述したステップＳ１１において、特殊景品が選択された場合には、図３に示すように、計数制御装置１００から景品管理装置６０に特殊景品情報が送信され、ステップＳ２０に進む。
【００８４】
ステップＳ２０は、前述したステップＳ１１〜Ｓ１４と並列的に処理される。
【００８５】
ステップＳ２０においては、図３に示すように、特殊景品情報にもとづき、特殊景品払出機７０による払い出しが開始される。
【００８６】
すなわち、景品管理制御装置２００の景品計数手段２１０は、図４に示すように、特殊景品情報送信手段１４１から送信された特殊景品情報にもとづいて、特殊景品の交換レートを用いて、当該特殊景品の個数を算出する。
【００８７】
つぎに、遠隔操作手段２２０は、図４に示すように、特殊景品用計数手段２１１により算出された個数の特殊景品を、特殊景品払出機７０から払い出させるための遠隔操作信号を特殊景品払出機７０に送信する。
【００８８】
特殊景品払出制御装置３００の特殊景品払出実行手段３２０は、図４に示すように、特殊景品払出部７２を用いて、遠隔操作手段２２０から送信された遠隔操作信号により指定された個数の特殊景品の払い出しを実行する。
【００８９】
上記ステップＳ２０の終了後、図３に示すように、次のステップＳ２１に進み、特殊景品情報にもとづき、特殊景品払出機７０から払出用記録媒体の出力が開始される。
すなわち、払出用記録制御手段３３０は、図４に示すように、特殊景品払出実行手段３２０により特殊景品の払い出しを実行する場合に、当該特殊景品の払い出し個数を記録した払出用記録媒体を、払出用記録媒体出力部７３を介して出力する。
【００９０】
上記ステップＳ２１の終了後、図３に示すように、次のステップＳ２２に進み、特殊景品払出機７０からの特殊景品の払い出しを完了、及び払出用記録媒体の出力を完了させる。
【００９１】
一方、前述したステップＳ１４の終了後、図３に示すように、次のステップＳ１５に進み、店員が計数用記録媒体と払出用記録媒体とを照合した上、前述したステップＳ２２において特殊景品払出機７０から払い出された特殊景品の交換が実行させる。
【００９２】
すなわち、店員は、特殊景品払出機７０から払い出された特殊景品、及び特殊景品払出機７０から出力された払出用記録媒体を、景品管理装置６０の位置迄、移動させる。
つぎに、店員は、払出用記録媒体を景品管理装置６０のバーコードリーダー６１に読み込ませる。
【００９３】
その結果、払出用記録媒体から読み取った照合情報が、先に読み取った計数用記録媒体に一致している場合には、当該払出用記録媒体と組になっている特殊景品払出機７０から払い出された特殊景品を遊技者に引き渡す。
（並列処理の説明）
つぎに、前述した図３のフローチャートを用いて、並列処理について説明する。
【００９４】
遊技媒体計数機４０において、遊技者が計数の終了後、特殊景品選択スイッチ４５を操作した時点で、特殊景品払出機７０による特殊景品の払い出しが開始するようにしている。
【００９５】
このため、特殊景品選択スイッチ４５の操作後、計数用記録媒体が出力させる迄の時間、計数用記録媒体を持って、遊技媒体計数機４０からカウンターテーブル５０迄、徒歩で移動する時間の間に、特殊景品払出機７０による特殊景品の払い出しの処理時間として使用できる。
【００９６】
特に、遊技媒体計数機４０からカウンターテーブル５０迄、徒歩で移動する時間は、遊技媒体計数機４０からカウンターテーブル５０迄の距離が遠い場合、例えば遊技媒体計数機４０の在るフロアーと、カウンターテーブル５０が在るフロアーとの階数が異なる場合には、数分程度掛かる場合もある。
【００９７】
このため、特殊景品払出機７０による特殊景品の払い出しの処理時間は、数十秒程度であるので、遊技者が計数用記録媒体を持ってカウンターテーブル５０に到着した際には、特殊景品払出機７０による特殊景品の払い出し既に完了している場合が多い。
【００９８】
このため、遊技者は、待ち時間無く、特殊景品を交換することができる。
（優先処理の説明）
つぎに、処理順番決定手段２２１による優先処理について説明する。
【００９９】
閉店間際になると、複数台の遊技媒体計数機４０から景品管理装置６０に、特殊景品情報がほぼ同時に送信される場合が想定される。
【０１００】
このとき、処理順番決定手段２２１は、ほぼ同時に受信した複数の特殊景品情報のうち、遊技媒体計数機４０と景品管理装置６０との間の距離をもとに、優先的に処理する特殊景品情報を決定している。
【０１０１】
すなわち、図１に示すように、カウンターテーブル５０に比較的に接近した「計数機２」と、カウンターテーブル５０から遠く離れた「計数機ｎ」とから、ほぼ同時に特殊景品情報が送信される場合には、処理順番決定手段２２１は、カウンターテーブル５０に比較的に接近した「計数機２」から送信された特殊景品情報を優先的に処理している。
【０１０２】
すなわち、景品管理装置６０の特殊景品用計数手段２１１は、「計数機２」から送信された特殊景品情報にもとづいて、特殊景品の交換レートを用いて、当該特殊景品の個数を算出する。
【０１０３】
つぎに、遠隔操作手段２２０は、特殊景品用計数手段２１１により算出された個数の特殊景品を、特殊景品払出機７０から払い出させるための第１の遠隔操作信号を特殊景品払出機７０に送信する。
【０１０４】
その後、特殊景品用計数手段２１１は、「計数機ｎ」から送信された特殊景品情報にもとづいて、特殊景品の交換レートを用いて、当該特殊景品の個数を算出する。
【０１０５】
つぎに、遠隔操作手段２２０は、特殊景品用計数手段２１１により算出された個数の特殊景品を、特殊景品払出機７０から払い出させるための第２の遠隔操作信号を特殊景品払出機７０に送信する。
【０１０６】
特殊景品払出機７０の特殊景品払出実行手段３２０は、第１の遠隔操作信号により指定された個数の特殊景品の払い出しを実行する。
【０１０７】
上記特殊景品の払出後、第２の遠隔操作信号により指定された個数の特殊景品の払い出しを実行する。
【０１０８】
その結果、特殊景品払出機７０からは、「計数機２」から送信された特殊景品情報に対応する特殊景品が先に払い出され、後から「計数機ｎ」から送信された特殊景品情報に対応する特殊景品が払い出される。
【０１０９】
「計数機２」を用いて計数した遊技者は、「計数機ｎ」に比較して「計数機２」がカウンターテーブル５０に近いことから、「計数機ｎ」を用いて計数した遊技者より、先にカウンターテーブル５０に到達するが、特殊景品払出機７０から先に特殊景品が払い出されているので、待ち時間無く、特殊景品と交換できる。
【０１１０】
また、「計数機ｎ」を用いて計数した遊技者は、「計数機２」を用いて計数した遊技者より、カウンターテーブル５０に後から到達するので、特殊景品払出機７０から後から払い出された特殊景品と交換しても、待ち時間無く、特殊景品と交換できる。
【０１１１】
一方、処理順番決定手段２２１により、２台以上の遊技媒体計数機４０から特殊景品情報が同時に送信されてきた場合に、当該各特殊景品情報に含まれる計数値を比較して、優先的に処理する特殊景品情報を決定するようにしても良い。
【０１１２】
すなわち、計数値が大きいほど、特殊景品払出機７０による特殊景品の払出時間が長く掛かる。このため、２以上の計数値を比較し、より大きい計数値を有する特殊景品情報を優先的に処理することで、遊技者の待ち時間を均一化することができる。
（閉店間際の処理の説明）
一方、閉店間際には、一般景品の交換に時間が掛かることから、一般景品の交換が選択されないように、計数制御装置１００の一般景品選択スイッチ４６を無効としても良い。すなわち、使用可能なスイッチは点灯しておき、使用不能な状態となったときに、スイッチを消灯しておくようにする。そして、図示しないが、タイマーを使用して、閉店時間の所定時間前、例えば１５分〜３０分前になると、一般景品選択スイッチ４６を消灯して、当該一般景品選択スイッチ４６を使用不能としても良い。
【０１１３】
これにより、閉店間際の景品交換を一層、迅速に且つスムーズに行うことができるようになる。
（遊技媒体の差数チェックの説明）
また、計数制御装置１００に、遊技者が使用した遊技機２０の台番号を入力可能としておき、当該台番号を、前述した図３のステップＳ１０の前処理として、遊技者に入力してもらうようにする。
【０１１４】
当該台番号の入力を前提として、当該台番号を、前述した図３のステップＳ１１において送信する特殊係数情報に含めたり、或いはステップＳ１２において計数用記録媒体に記録する。
【０１１５】
ステップＳ１３では、景品管理装置６０に入力された台番号をもとに、当該台番号を有する遊技機２０の差数チェックを実行する。その結果、計数用記録媒体に記録された計数値に異常がないことを前提に、ステップＳ２０以降の処理や、ステップＳ１５の処理に進めるようにしても良い。
【０１１６】
これにより、遊技者による不正な景品の交換を未然に防止することができる。
【図面の簡単な説明】
【０１１７】
【図１】景品管理システムの概略構成図である。
【図２】計数機の概略正面図である。
【図３】景品管理システムの動作を説明するための概略フローチャートである。
【図４】景品管理システムの動作を説明するための概略ブロック図である。
【符号の説明】
【０１１８】
１０  景品管理システム
２０  遊技機  ３０  遊技島
４０  計数機
４１  計数部  ４２  計数用記録媒体出力部
４３  フロントパネル  ４４  表示部
４５  特殊景品選択スイッチ  ４６  一般景品選択スイッチ
４７  貯玉選択スイッチ
５０  カウンターテーブル
６０  景品管理装置
６１  バーコードリーダー  ６２  操作部
６３  表示部
７０  特殊景品払出機
７１  操作部  ７２  特殊景品払出部
７３  払出用記録媒体出力部  ７４  表示部
１００  計数制御装置
１１０  遊技媒体計数手段  １２０  計数用記録制御手段
１３０  表示制御手段
１４０  信号送受信手段  １４１  特殊景品情報送信手段
２００  景品管理制御装置
２１０  景品計数手段  ２１１  特殊景品用計数手段
２２０  遠隔操作手段  ２２１  処理順番決定手段
２３０  表示制御手段  ２４０  信号送受信手段
３００  特殊景品払出制御装置
３１０  信号送受信手段  ３２０  特殊景品払出実行手段
３３０  払出用記録制御手段  ３４０  表示制御手段
【図１】
0005400285.tif 000002
【図２】
0005400285.tif 000003
【図３】
0005400285.tif 000004
【図４】
0005400285.tif 000005